(57)【要約】  【課題】  音楽再生において、水中での自然な心地良い残響を広い周波数帯域で付加し、不要な超音波領域の音を除去しソフトな音に変えることを提案する。【解決手段】  本発明は、入力電気信号を音波に変換するスピーカ１とハウジング２を保有し、液体を充填させた密閉構造で耳穴に圧力を加え隙間なく密着させることができるイヤーパッド袋３を有することを特徴とするヘッドホン型、または枕型、または椅子固定型、またはイヤホン型の残響付ヘッドホン。  【選択図】  図１
2006237783.tif 000002
【特許請求の範囲】
【請求項１】
ハウジングと、
入力電気信号を音波に変換するスピーカと、
前記スピーカの音の発生部に相対させ、密閉した液体を内蔵し、耳にあてる、イヤーパッド袋と、
を有し、
前記イヤーパッド袋内の液体は、前記スピーカから発せられた音波を伝達させる作用を持つことを特徴とする残響付ヘッドホン。
【請求項２】
前記スピーカと前記イヤーパッド袋の間に、音波を伝える厚さの材質で形成されたパーテーション、
もしくは複数の開口部で形成されたパーテーション、
を有し、
前記スピーカが振動する際に、前記イヤーパッド袋が前記スピーカに接触しない制限を持つことを特徴とする請求項１に記載の残響付ヘッドホン。
【請求項３】
前記イヤーパッド袋に取付けた前記パーテーションの外周部の結合手段と、
前記ハウジングの前記イヤーパッド袋側に相対する側の外周部に結合手段と、
を有し、
前記イヤーパッド袋を取付けた前記パーテーションを、
押圧による結合動作、
もしくは爪による結合動作、
もしくは回転による結合動作、
もしくはスリットに入れる結合動作、
もしくはマジックテープ（登録商標）による結合動作、
により、
自在に前記ハウジングから着脱できることを特徴とする請求項２に記載の残響付ヘッドホン。
【請求項４】
ドーナツ状の形状で、前記イヤーパッド袋の外周を覆い、ハウジングに固着させ、耳穴の周囲に円形に接し、
液体もしくは熱伝導率が低く重量の軽いクッション材を充填し、
耳に接する面もしくは全面に断熱性を持つ素材を用いた、
ソフトイヤーパッドを有し、
前記イヤーパッド袋が音波を伝達させる作用を妨げないことを特徴とする請求項１〜３記載の残響付ヘッドホン。
【請求項５】
左右の耳を覆う前記ハウジングの２ケを結合し、前記ハウジングの上側に位置する頭部固定部と、
前記ハウジングに固着した前記パーテーションと、
前記イヤーパッド袋に接合するパッド袋結合固定具と、
液体封入口と、
を有し、
前記パッド袋結合固定具による、
押圧による結合動作、
もしくは爪による結合動作、
もしくはマジックテープ（登録商標）による結合動作、
により、
前記頭部固定部もしくは前記ハウジングの上部から、
自在に着脱できることを特徴とする請求項２に記載の残響付ヘッドホン。
【請求項６】
左右の耳を覆う前記ハウジングの２ケを結合し、頭部の後ろに位置する圧力調整スライドを有し、
前記イヤーパッド袋にかかる圧力を調整できることを特徴とする請求項１〜５に記載の残響付ヘッドホン。
【請求項７】
睡眠に使用する枕と同様のクッション性を持った材質で形成された枕ベースと、
左右のハウジングを接続する位置調整固定具と、
頭部の後部または上部に位置し、前記位置調整固定具と繋ぐハウジング位置調整部と、
ハウジングを覆い、チャックもしくはボタンを持つハウジングカバーと、
を有し、
使用者の頭部の大きさや、使用状況や、嗜好に応じ、左右の耳に当たる前記イヤーパッド袋を内蔵する前記ハウジングの間隔を調整して、固定できることを特徴とする請求項１〜４に記載の残響付ヘッドホン。
【請求項８】
前記イヤーパッド袋に圧力を加えた液体と、
ソフトイヤーパッドに接触する面に液体封入口と、
を有し、
イヤホン型の形状で、耳穴にイヤーパッド袋を挿入できることを特徴とする請求項１〜３に記載の残響付ヘッドホン。
【請求項９】
前記イヤーパッド袋内に温度調整部と、
前記温度調整部への電線と、
を有し、
前記イヤーパッド袋の液体を電気的な手段で保温または冷却することにより一定温度に保つことを特徴とする請求項１〜８に記載の残響付ヘッドホン。
【発明の詳細な説明】
【技術分野】
【０００１】
本発明は、電気信号を音楽や音声に再生する電気音響変換器の内、人体の耳に装着、または耳に挿入、または座った状態か寝た状態で耳に接触させて使用するヘッドホンに関するものである。
【背景技術】
【０００２】
従来の一般的なオーディオ機器は、電気的な音声信号をスピーカで音に再生し、空気のみを伝播媒体として耳へと伝えている。また、スピーカのコーン面に、物があたり破損しないようにカバーを被せる構造もある。
【０００３】
さらに、臨場感を得る為に、スピーカを低音域用、中音域用、高音域用など周波数帯域の特性で分けた、複数のスピーカを持つものが考案された。
【０００４】
また、カラオケ機器では残響の程度を可変できる調整用のスイッチを設けるのが一般的である。
【０００５】
また、プロ用の音響機器としては、エフェクターがあり、音量や音質や効果を変えることができる。残響を与えて広がりや奥行きを与えるエフェクターは、音に遅延を設けるディレイエフェクターやコンサートホールや部屋の残響をシミュレートするリバーブがある。
【０００６】
個人で使用するヘッドホンやイヤホンでは、耳への密着度を上げ、原音以外の外からの雑音を防止すると共に、音漏れを防ぐ工夫がなされている。ヘッドホンでは立体音像を得て臨場感を高める為、内部のスピーカ位置を前方にしたり、ヘッドホンのハウジング内に複数のスピーカを設けて発生音源の方角を擬似的に変える手段も提案されている。
【０００７】
また、耳が音の発生元の方向を認識するのは、頭部及び耳の形状から発生する残響／反響であり、ヘッドホン専用のステレオ録音として、耳を付けた頭部の形状の耳穴部に録音マイクを設置するバイノーラルの録音方式が考案された。
【０００８】
ヘッドホンや携帯電話では骨伝道による方式の併用によりユーザビリティを高める試みもなされている。
【０００９】
スピーカ構造の一部に液体を用い音響特性を良くする試みもなされている。（特許文献１、２、３、４参照）
【００１０】
認識する側としての人体の耳の特性は、中音域と比べると低音域は５〜１０ｄＢ感度が低いため、これに対応させる為、アンプ側で低音域を強化する低音域強化スイッチを設ける方法はよく使われる。
【００１１】
特殊な空気中以外で使われるオーディオ機器としては、水中スピーカがある。これは潜水作業での連絡の他、プールでのＢＧＭや、競泳やシンクロナイズドのトレーニングで使われるようになった。このプールの中は空気中より音の減衰が激しいため、複数個設置するのが一般的である。
【特許文献１】特開昭５３−１２７７０１
【特許文献２】特開昭５５−１０４２００
【特許文献３】特表平０８−５０７６６５
【特許文献４】実開平０４−０３１８９５
【発明の開示】
【発明が解決しようとする課題】
【００１２】
残響はオーディオ機器では重要な位置付けにある。携帯電話では聞き易いように電気的に雑音と残響の消去をおこなっている。逆に電子楽器やカラオケ機器では残響を付加している。
【００１３】
この、オーディオ機器では大小の残響が発生する。しかし、残響は音楽を聴く部屋を構成する材質、形状、大きさなど複数の要素を含むものであり万人に好感を得る設定が困難であり、特に長い残響特性を電気的に設定すると好悪の個人差が出ることに問題があった。
【００１４】
また、プールの水中で水中スピーカーが使われると、長い残響特性を持ち、心地よい音であるが、周波数による減衰値の違いによって、高音は遠くに届きにくく、スピーカと聞く人の位置関係により音質が変わるという問題があった。同時に、人体にとって水中は呼吸が困難な所であり、音楽を楽しむには不適切な環境である。
【００１５】
また、人体は加齢が伴うと全音域での聴覚の感度が悪くなる。例えば５０歳の聴力レベルは２０歳の値より平均１０ｄＢの低下が見られる。特に、８０００Ｈｚからの高音域では２０ｄＢ以上の低下となる。これは６０歳代、７０歳代と加齢に伴いさらに下がる。同時に心地良いと感じる音も年齢と共に変化し、若い人ほど残響が少ない音を好み、年齢が上がる程、聴力の低下を補える残響を好むようになるが、安価なオーディオ機器で残響特性を変えられるタイプは少ない。
【００１６】
また、グランドピアノと電子ピアノの音響の比較で感じられるように、自然の残響より電気的な残響は若干の違和感を持つ。また、安価なオーディオ機器ほど、本物の音との乖離がある。音質を求めるプロ用のエフェクターは高価であり個人で使用するのは困難である。
【００１７】
本来、気体から液体、液体から気体には音が伝わりにくい。その関係を空気と水で一例を示すと、空気の音響インピーダンスは４１５Ｐａ・ｓ／ｍであり、水の音響インピーダンスは１４１０ｋＰａ・ｓ／ｍであり、それぞれの媒体の固有の音響インピーダンスが大幅に異なる為、空気から液体、液体から空気の両方向とも、音が伝わるのは０．１％とされており、媒質が異なる間で音を伝えるのは困難である。
【００１８】
人間の体内で音を聞くしくみは、外耳から入る音が鼓膜を振動させ、中耳の耳小骨で音の振動を増幅させ、内耳の蝸牛の有毛細胞から聴覚神経へと伝えている。その際、中耳までは空気中で伝達されるが、内耳はリンパ液である液体で満たされている。その為、上記同様、直接には０．１％の音しか内耳へは伝わらなく、耳小骨で音の振動を物理的な振動に変換させて増幅している。リンパ液は超音波領域の不要な音から内耳を防衛するという面を持つとされているが、そのリンパ液での機能を支援する不要な超音波領域の音をカットするスピーカの制作は困難であった。
【００１９】
本発明は、水中での心地良い自然な残響を提供し、不要な超音波領域の音を除くことを目的とするものである。
【課題を解決するための手段】
【００２０】
本発明は、残響付加機能を持つヘッドホンであり、上記目的を達成するために、ハウジングと、入力電気信号を音波に変換するスピーカと、前記スピーカの音の発生部に相対させ、密閉した液体を内蔵し、耳にあてる、イヤーパッド袋と、を有し、前記イヤーパッド袋内の液体は、密閉されて、耳に圧せられることにより音が伝わり易くなり、前記スピーカから発せられた音波を伝達させる作用を持つことを特徴とする。
【００２１】
また、前記スピーカと前記イヤーパッド袋の間に、音波を伝える厚の薄い材質で形成されたパーテーション、もしくは網のように、複数の開口部で形成されたパーテーション、を有し、前記スピーカが振動する際に、前記イヤーパッド袋が前記スピーカに接触しない制限を持つことを特徴とする。
【００２２】
また、両耳からステレオ音声を聴く形態で、音質の変更や、前記イヤーパッド袋の破損時の交換を容易にするため、前記イヤーパッド袋に取付けた前記パーテーションの外周部の結合手段と、前記ハウジングの前記イヤーパッド袋側に相対する側の外周部に結合手段と、を有し、前記イヤーパッド袋を取付けた前記パーテーションを、押圧による結合動作、もしくは凹凸の凸部の先の爪による結合動作、もしくは凹凸の凹にスリットを入れた回転による結合動作、もしくは上部からスリットに入れる結合動作、もしくは凹凸のマジックテープ（登録商標）による結合動作、により、自在に前記ハウジングから着脱できることを特徴とする。
【００２３】
また、大型の市販ヘッドホンで使われるイヤーパッドに類似する、ドーナツ状の形状で、前記イヤーパッドの外周を覆い、ハウジングに固着させ、耳穴の周囲に円形に接し、液体もしくは熱伝導率が低く重量の軽いクッション材を充填し、耳に接する面もしくは全面に断熱性を持つ素材を用いた、ソフトイヤーパッドを有し、前記イヤーパッド袋が音波を伝達させる作用を妨げないことを特徴とする。
【００２４】
さらに、前記イヤーパッド袋を交換する別の形態として、左右の耳を覆う前記ハウジングの２ケを結合し、前記ハウジングの上側に位置する頭部固定部と、前記ハウジングに固着した前記パーテーションと、前記イヤーパッド袋に接合するパッド袋結合固定具と、液体封入口と、を有し、前記パッド袋結合固定具による、押圧による結合動作、もしくは凹凸の凸部の先の爪による結合動作、もしくは凹凸のマジックテープ（登録商標）による結合動作、により、前記頭部固定部もしくは前記ハウジングの上部から、自在に着脱できることを特徴とする。
【００２５】
またさらに、ステレオヘッドホンの形態で、左右の耳を覆う前記ハウジングの２ケを結合し、頭部の後ろに位置する圧力調整スライドを有し、前記イヤーパッド袋にかかる圧力を調整できることを特徴とする。
【００２６】
また、リクライニングシートやベッドで使用する形態として、睡眠に使用する枕と同様のクッション性を持った材質で形成された枕ベースと、左右のハウジングを接続する位置調整固定具と、頭部の後部または上部に位置し、前記位置調整固定具と繋ぐハウジング位置調整部と、ハウジングを覆い、チャックもしくはボタンを持つハウジングカバーと、を有し、使用者の頭部の大きさや、使用状況や、嗜好に応じ、左右の耳に当たる前記イヤーパッド袋を内蔵する前記ハウジングの間隔を調整して、固定できることを特徴とする。
【００２７】
またさらに、イヤホンとして使用する形態で、前記イヤーパッド袋に圧力を加えた液体と、ソフトイヤーパッドに接触する面に液体封入口と、を有し、イヤホン型の形状で、耳穴にイヤーパッド袋を挿入できることを特徴とする請求項１〜３に記載の残響付ヘッドホン。
【００２８】
また、温度に敏感な耳に接する液体は温度が適切であることが望ましく、前記イヤーパッド袋内に温度調整部と、前記温度調整部への電線を有し、前記イヤーパッド袋の液体を電気的な手段で保温または冷却することにより一定温度に保つことを特徴とする。
【発明の効果】
【００２９】
上述したように本発明は、音響を空気中から水中を経由させることにより、音の振動はスピーカ２の空気中からイヤーパッド袋４の液体媒体を経由することにより、袋内での音の反射により残響が付加され、耳の鼓膜の近くで空気中に戻すことにより心地良い音を得ることができる。
【００３０】
この残響により、風呂の中、西洋の教会の中、洞窟の中、水中などの響きが良いと呼ばれる場所に近い音響効果を得ることができる。  
【００３１】
特に、中年から高年齢の人や、耳の遠くなったお年寄りや、難聴気味の人には響きのある聞きやすい音を提供できる。そのため、補聴器への適用も有効である。
【００３２】
また、所有者は音楽の種類や好みに応じて、イヤーパッド袋を交換することで残響特性を選択することができる。
【００３３】
この残響が大きい程、高音は頭の前面、低音は頭の中心部で聞こえ、音像に立体感がでる。
【００３４】
また、不要な超音波領域の音を除去するため、全般にソフトな音となり、長時間のヘッドホン装着でも疲れにくい効果も得る。
【００３５】
その他の付随的な効果として、温度調整部により、頭部を暖めることにより血流を良くし、頭痛を緩和させることもできる。逆に熱があるときには頭部を冷却することもできる。
【発明を実施するための最良の形態】
【００３６】
以下、図面を参照して本発明の実施の形態について説明する。図１および図２（Ａ）は、本発明の第１の実施形態に係わる正面から見た残響付ヘッドホンの構成を示す断面図である。
【００３７】
この実施形態でのスピーカ１はハウジング２に固着され、イヤーパッド袋３はスピーカの周囲のハウジングに接続され、スピーカの音響振動が袋面を経由して液体に伝わる構造を有している。
【００３８】
イヤーパッド袋の材質は収縮性のない合成樹脂材やアルミ材やシリコン材で成型される。
【００３９】
袋は密閉構造であり、中に封入される液体は比重が軽く、粘性が弱く、使用にあたり危険がないものが望ましく、水やアルコールやヘキサンを使用する。
【００４０】
同一の容量の場合、この液体の媒質の比重が重い程、残響時間が長くなる。しかし、粘度が大きすぎるジェル状の液体は適切ではない。
【００４１】
イヤーパッド袋の液体の容量は大きい程、残響時間が長くなる。液体の分量の一例を示すと、図６のイヤホンの形状では０．５〜５ｃｃ、図３もしくは図４のソフトイヤーパッドを有する形状では５〜１００ｃｃ、図２の形状では５０〜２００ｃｃ、図５の枕型の形状では１００〜５００ｃｃ、の範囲が望ましい。また、イヤーパッド袋に栓を設け、商品としての物流負荷を軽減させるため、内部の液体を抜いて折りたたんだ状態で本発明品を販売することもできる。その場合には、使用者自身が好みの液質と容量の液体を封入することができる。
【００４２】
さらに、ここでは耳穴に隙間なく密着させるが、加える圧力が大きい程、伝えられる音量が大きく耳に伝わり、残響も大きく響く。
【００４３】
袋は２重構造であってもよく、耳に接触する外側の袋と、液体を入れる内部の袋とに分けることにより強度を保ち、使用感を良くし、袋の長期間の劣化を減少させることができる。一例としては内部には金属皮膜の袋を使用して劣化を防ぐ。外側の袋には断熱性のある材質を用いれば、液体が冷たい時に耳に感じる冷たさを軽減できる。
【００４４】
また、この内側の袋を複数持ち、液体を分封することにより、音質を微妙に変えることができる。袋の数が多くなるほど、残響は小さくなる。また、内側の袋の材質と、大きさと、内部の液体の種類を分けることによっても残響特性を変えることができる。
【００４５】
スピーカには各種形状があり、音の発生する振動面の強度が強く、直接イヤーパッド袋を振動させても音質への変化なく、イヤーパッド袋の圧力が振動面に長期間にかかっても振動面が劣化しないものであれば、イヤーパッド袋とスピーカを直接接することができる。
【００４６】
しかし、音響特性の良いコーン付スピーカでの振動部は空気のみと接して振動させなければならない。
【００４７】
一般に袋に液体を入れると、袋は円形に膨らむ。図１に示すように耳８に接した状態で、もしパーテーション４がないと、液体内部からの圧力と、耳へ固定する際の圧力により、スピーカ１での音の発生面に接してしまう。薄いコーンを持つスピーカでは音響が大幅に劣化する。そこでスピーカ側にイヤーパッド袋を支えるパーテーションを設ける必要が生じる。
【００４８】
パーテーションは、音の振動の妨いではならない。この材質は音の振動を適切にイヤーパッド袋に伝える柔軟さを持ち、イヤーパッド袋からかかる圧力を支える強度がなければならない。耳に装着する際には内部の圧力が高まるが、その圧力が最大値になり、さらに大音量でスピーカの振動する際にも、スピーカの振動面にパーテーションが接触しない距離を保たなければならない。
【００４９】
パーテーション４の第１の材質はそれ自身の強度がイヤーパット袋圧力に抗する板状の形を保つ薄板であり、合成樹脂板や金属板などを使用する。
【００５０】
パーテーションの第２の材質は、上下もしくは左右、または上下左右からの張力により平面の形状と強度を保つ柔軟なシート材であり、布、合成樹脂膜や金属膜やシリコン膜を使用する。
【００５１】
パーテーションの第一の材質でも、第２の材質でも、穴のない面構造と、多数の穴を開けた面構造の２種類がある。穴のない面構造の場合の材質は軽量で薄く、振動に柔軟なほど音は伝わりやすく、残響の度合も大きくなる。
【００５２】
多数の穴を開けた面構造としては、中空部が３角形や、４角形や、６角形のハニカム構造や、８角形や丸形を使用する。イヤーパッド袋を支える幅が細いほど望ましく、網面になる場合もある。ここでは、一つの開口部が大きい程、音は伝わり易く、残響の度合いも大きくなる。
【００５３】
パーテーションの第２の材質で張力により支える場合は、スピーカ側に膨らむ。しかし、薄板の場合、曲面を形成し、逆の耳側に膨らませることも材質の強度から可能となる。例えば図１に示すよう、耳側に膨らむ球を切断した曲面状の構造を採用することによりスピーカの音圧を受ける効率を上げることができる。
【００５４】
残響付ヘッドホンは上記に示すように、液体の容量や比重、またはイヤーパット袋の材質や、パーテーションの構造などで残響の特性が変化する。そこで、所有者はイヤーパット袋をパーテーションに取り付けて一体化した交換用イヤーパッドを、変えることにより個人の好みの音質に合わせたり、音楽の種類に応じて残響特性を選択することができる。
【００５５】
また、イヤーパッド袋の液体の代わりに、中空で比重の軽いスポンジ状の弾性材を入れることで空気のみを媒体とする市販のヘッドホンの音響特性を得ることもできる。また、イヤーパット袋が損傷した場合に、新たな交換用イヤーパッドに交換することもできる。
【００５６】
そのために、図１および図２に示すよう、イヤーパッド袋に取付けたパーテーションの外周部を厚めにした結合手段である凸部６と、ハウジングのイヤーパッド袋側に相対する側の外周部への結合手段である凹部５とを有する。図２（Ｂ）と図３（Ｂ）は取外した場合の外形外観図である。
【００５７】
交換用イヤーパッドの第１の交換の方法は、交換用イヤーパッドをハウジングに挿入する形態がある。圧結合部に弾性をもつ合成樹脂を使用し、凹凸面を接触させ、相互の接触摩擦を大きくして固定させ、着脱もできる構造である。また、凸部もしくは凹部の接触摩擦を大きくする箇所に、小型のバネ材、もしくはクッション材を新たに設けることもある。
【００５８】
交換用イヤーパッド袋の第２の交換の方法としては、交換用イヤーパッドをハウジングに挿入して凸部の先の爪で止める形態がある。交換用イヤーパッドを抜く際には外部からの爪外す方向の押圧により、爪を外した上で引き抜く構造である。
【００５９】
交換用イヤーパッド袋の第３の交換の方法は、スリットに入れた回転により止める形態がある。結合部分は円形であり、円形の一部にスリットを空けることにより、挿入時は抵抗なく入り、挿入後に半転させることによりスリット以外の部分で抜けないように固定させる。交換用イヤーパッドを抜く際には再度、逆方向に半転させ円に空けたスリット部から引き抜く構造である。
【００６０】
交換用イヤーパッド袋の第４の交換の方法は、凹凸の小さな突起を持つマジックテープ（登録商標）による固定する形態がある。これは交換用イヤーパッドと、ハウジングに相対する、それぞれの外周部にマジックテープ（登録商標）を接着するものである。
【００６１】
図３は、本発明の第２の一実施形態に係わる正面から見た残響付ヘッドホンの構成を示す断面図である。ソフトイヤーパッド７はイヤーパッド袋３より耳にあたる面積が広く、耳への接触感を良くし、寒い場合には耳へ伝わるイヤーパッド袋内の液体の冷たさを感じることを軽減できる。
【００６２】
このソフトイヤーパッドを頭の側面方向から見ると輪となり、ドーナツ状の形状である。ソフトイヤーパッドはイヤーパッド袋の外周を覆い、ハウジング２に固着させ、耳穴の周囲に円形に接することとなる。
【００６３】
ソフトイヤーパッドへの第１の充填物は液体であり、音響に反射を与えるものである。その残響の大きさは、イヤーパッド袋の液体量とソフトイヤーパッドの液体量を合わせた反響の程度を得ることができる。このソフトイヤーパッドの耳にあたる部分の表面に、ソフトで断熱性を持つ素材である布、皮、人工皮、シリコン膜などを接着することで肌触りの使用感を高めることができる。
【００６４】
ソフトイヤーパッドへの第２の充填物は熱伝導率が低く重量の軽い媒体の充填であり、例えば、吸音性のあるクッシッン材がある。また、その表面は前記と同様、肌触りの良い通気性のある材質で覆うことが望ましい。
【００６５】
図４は、本発明の第３の一実施形態に係わる正面から見た残響付ヘッドホンの構成を示す断面図である。
これにより本発明を簡易的に市販の空気のみを媒体とするヘッドホンに変えることもできる。これは、冬季に液体温度の冷たさを避けるのに有効である。
【００６６】
また、市販のヘッドホンでパーテーションを保有し、耳に接する内側が空洞である形状のものには、本発明のイヤーパッド袋をオプションとして付加し、残響付ヘッドホンの効果を満足させることもできる。これは、イヤーパッド袋の液体量を合わせる必要があるが、液体封入口から入れる液体の分量を可変することで調整が可能となる。
【００６７】
この構造は、左右の耳を覆うハウジング２の２ケを結合し、ハウジングの上側に位置する上部固定部９と、ハウジングに固着したパーテーション４と、イヤーパッド袋３に接合するパッド袋結合固定具１２と、液体封入口１６と、を有している。これは、第２の実施の形態と若干異なり、イヤーパッドの取り外しを、パッド袋結合固定具による、押圧による結合動作、もしくは爪による結合動作、もしくはマジックテープ（登録商標）による結合動作、により、上部固定部もしくはハウジングの上部から、自在に着脱できるものである。
【００６８】
その固定の一例は、図４（Ｂ）に示すパッド袋結合固定具の右側に位置するクリップ状の、２つの挟込み部の押圧により上部固定部を挟み固定する。これは挟み込む際にバネ等の圧力を加えるものであってもよい。爪で挟む場合はこのパッド結合固定具の先に外れにくい凸形状を持つものである。また、マジックテープ（登録商標）をパッド袋結合固定具と上部固定部またはハウジングの上部に接着すれば簡易的に接合することもできる。
【００６９】
図２（Ａ）および図３（Ａ）に示すように、左右の耳を覆う前記ハウジング２の２ケを結合し、頭部の後ろに位置する圧力調整スライド１０を有する。一般のヘッドホンにおける固定具は耳位置を調整する目的であるが、圧力調整スライドは、イヤーパッド袋にかかる圧力を調整するものである。圧力調整スライドは２本の合成樹脂等の材料で構成され、２本の重複部を設けることによりスライドの長さを可変できるものとし、短くすれば耳に圧着する圧力を強くでき音量を大きくでき、長くすれば圧力が小さくなり音量が増大できる構造である。
【００７０】
また、左右からハウジングに圧力をかけることにより残響付ヘッドホンの重量を頭部の横で支えることになり、上部固定部での重量が軽減され、残響付ヘッドホンの体感重量が減るという効果も得られる。
【００７１】
図５は、本発明の第４の一実施形態に係わる正面から見た残響付ヘッドホンの構成を示す断面図である。これは、人体がベッドに横臥、またはリクライニング椅子に座った状態で使用する。構成は睡眠に使用する枕と同じクッション性を持った材質で形成された枕ベース１３と、左右のハウジング２を接続する位置調整固定具１５と、頭部の後部または上部に位置し、位置調整固定具の長さを可変するハウジング位置調整部１４と、を有する。ここで、使用者の頭部の大きさと、嗜好に応じ、左右の耳に当たる前記イヤーパッド袋３の間隔を調整して、固定できることを特徴としている。
【００７２】
大人の頭部の幅は凡そ１３〜１５ｃｍの範囲である。また多くの枕の幅は５０〜７０ｃｍの範囲である。本発明品は睡眠における枕でも使用できるように、２ケのハウジングの間を１０〜６０ｃｍまで変えることができるものとする。この操作はスライドにノッチを付け人手で変える方式、もしくはモータを内蔵してスイッチにより位置を変えることができる。これにより、オーディオ装置として使わない時には通常の枕として使用できる。また、心地良く睡眠するために、音楽停止時間を設定して音楽が停止すると、タイマーの機能で自動的に音楽が止まり、さらにハウジングの間隔をモータで最大限離す方法もある。
【００７３】
枕ベースの素材はクッション性があれば枕で使われる幅広い材質が適合する。この枕ベースはリクライニング椅子、またはマッサージ椅子、または電動ベッドに固定できる手段を持つ。固定方法は枕ベースの背面に固定用板を持って取り付けてもよい。また、枕ベースに貫通穴を空け、ハウジング位置調整部、もしくは位置調整固定具での動作を妨げない箇所に固定する方法もある。ハウジング位置調整部は位置調整固定具を回転もしくはスライドで長さを変える操作ができるものとする。位置調整固定具は美観上、枕ベース内部に納める方法もある。
【００７４】
ハウジングカバー１５はハイジング２を覆う通気性の良い薄手の材質であり、チャックもしくはボタンで外し、取って洗濯ができる構造を持つ。これは枕として使用する際に衛生的に必要なものである。また、枕ベース全体を覆い、ハウジング位置調整部のみ露出させる交換できる通気性のよい薄手の材質のカバーを付加してもよい。
【００７５】
図６は、本発明の第５の一実施形態に係わる正面から見たイヤホン型の形状で、耳に挿入するため小型化されている残響付ヘッドホンの構成を示す断面図である。イヤーパッド袋３はソフトイヤーパッド１２に接触する側面に液体封入口１６から封入された圧力を加えた液体を有し、耳穴にイヤーパッド袋を挿入できることを特徴とする。
イヤーパッド袋は残響に影響の少ない側面にゴムボールの空気装入口に使用されるものと同様の収縮性のある厚手の液体封入口１６を持ち、液体封入口から液体を封入加圧ポンプで加圧して挿入する。
【００７６】
図２および図５には簡易的にイヤーパッド袋３内の温度調整部１１を明記してある。これは電気的な手段でイヤーパッド袋の外から袋内に接続する電線を有すものである。冬季には液体が体温より遥かに低いものとなるため、液体の温度を高めることにより、心地良さを増すことができる。
【００７７】
保温はサーモスタット付きのヒーターに電気を流すことによりおこなう。
【００７８】
夏の場合、逆に冷やすことで快適な温度を保つことができる。その電子冷却モジュールとしてはペルチェ素子などがある。
【００７９】
以上に説明した形態は、ヘッドホンの外部からコードを介して供給される音声信号に基づいてスピーカ１が動作するように構成されているが、以下はヘッドホンにオーディオ装置を内蔵した形態について図８を元に説明する。
【００８０】
オーディオ装置はユビキタス時代には小型軽量化が求められており、残響付ヘッドホンにおいても、ハウジング内にスピーカへの入力電気信号を供給するオーディオ装置が内蔵されることが求められる。
【００８１】
オーディオ装置は入力として、ＦＭ及びＡＭ受信部、ネットワークインターフェース部、ＣＤ再生部、ＭＤ再生部、音声メモリ再生部の一つもしくは複数が併用される。共通機構として、増幅部、操作部、表示部、電源部から構成される。電源部はＡＣ１００Ｖの他に電池にも切り替えることができる。このように構成されたオーディオ装置を内蔵させることにより、重量が増加するが、使用の幅を広げるのに有利となる。その際、電池駆動の場合には外部とのケーブルは不要となり、ＡＣ電源を使用するタイプでも電源ケーブルのみとなる。
【００８２】
一般的なオーディオ装置に搭載されていない第１の機能としてはイヤーパッド袋内に搭載される温度調整部があり、制御部からイヤーパッド内の液体温度を調整する機能を持つ。
【００８３】
一般的なオーディオ装置に搭載されていない第２の機能としては、イヤーパッド袋の内側の液体袋が破損したとき、液体を感知し、破損の電気的な検出機能を持つ。
【００８４】
一般的なオーディオ装置に搭載されていない第３の機能としては、図５での枕型の枕ベースを使用する際の操作性を高めるモータ制御部とモータ部でハウジングの位置を調整する機能を持つ。また、睡眠後に自動で音楽を停止し、ハウジング幅を広げる時間を設定するタイマー部も持つ。
【図面の簡単な説明】
【００８５】
【図１】本発明の第１の実施形態の残響付ヘッドホンの断面図である。
【図２】（Ａ）第１の実施形態の残響付ヘッドホンに上部固定部と圧力調整スライドを付加した断面図である。  （Ｂ）第１の実施形態でイヤーパッド袋を取外した際の外観図である。
【図３】（Ａ）第２の実施形態のソフトイヤーパッドを有する残響付ヘッドホンの断面図である。  （Ｂ）第２の実施形態でイヤーパッド袋を取外した際の外観図である。
【図４】（Ａ）第３の実施形態の市販のヘッドホンに変更、または市販のヘッドホンのオプションとして付加する構造の残響付ヘッドホンの断面図である。  （Ｂ）第３の実施形態でイヤーパッド袋を取外した際の外観図である。
【図５】第４の実施形態の枕型の形状を有する残響付ヘッドホンの断面図である。
【図６】第５の実施形態のイヤホン型の形状を有する残響付ヘッドホンの断面図である。
【図７】第４の実施形態の枕型の形状を有する残響付ヘッドホンをリクライニング椅子に取り付けた外観図である。
【図８】オーディオ装置を内蔵した残響付ヘッドホンの概略構成を示すブロック図である。
【符号の説明】
【００８６】
1  スピーカ、２  ハウジング、３  イヤーパッド袋、４  パーテーション、５  凹部、６  凸部、７  ソフトイヤーパッド、８  耳  、９  上部固定部、１０  圧力調整スライド、１１  温度調整部、１２  パッド袋結合固定具、１３  枕ベース、１４  ハウジング位置調整部、１５  位置調整固定具、１６  液体封入口
【図１】
2006237783.tif 000003
【図２】
2006237783.tif 000004
【図３】
2006237783.tif 000005
【図４】
2006237783.tif 000006
【図５】
2006237783.tif 000007
【図６】
2006237783.tif 000008
【図８】
2006237783.tif 000009
【図７】
2006237783.tif 000010
【手続補正書】
【提出日】平成17年6月3日(2005.6.3)
【手続補正１】
【補正対象書類名】特許請求の範囲
【補正対象項目名】請求項２
【補正方法】変更
【補正の内容】
【請求項２】
前記スピーカと前記イヤーパッド袋の間に、音波を伝える厚さの材質で形成されたパーテーション、もしくは複数の開口部で形成されたパーテーション、を有し、前記スピーカが振動する際に、前記イヤーパッド袋が前記スピーカに接触しない制限と、音質を歪ませないための空間を持つことを特徴とする請求項１に記載の残響付ヘッドホン。
【手続補正２】
【補正対象書類名】明細書
【補正対象項目名】０００２
【補正方法】変更
【補正の内容】
【０００２】
従来の一般的なオーディオ機器は、電気的な音声信号をスピーカで音に再生し、空気のみを伝播媒体として耳へと伝えている。また、スピーカの振動面に、物があたり破損しないようにカバーを被せる構造もある。
【手続補正３】
【補正対象書類名】明細書
【補正対象項目名】０００８
【補正方法】変更
【補正の内容】
【０００８】
ヘッドホンや携帯電話では骨伝導方式によりユーザビリティを高める試みもなされている。
【手続補正４】
【補正対象書類名】明細書
【補正対象項目名】００２０
【補正方法】変更
【補正の内容】
【００２０】
本発明は、残響付加機能を持つヘッドホンであり、上記目的を達成するために、ハウジングと、入力電気信号を音波に変換するスピーカと、前記スピーカの音の発生部に相対させ密閉した液体を内蔵して耳にあてるイヤーパッド袋と、を有する。前記イヤーパッド袋内の液体は、密閉されて、耳に圧せられることにより、残響を加える作用を持つことを特徴とする。
【手続補正５】
【補正対象書類名】明細書
【補正対象項目名】００２１
【補正方法】変更
【補正の内容】
【００２１】
また、前記スピーカと前記イヤーパッド袋の間に、音波を伝える厚の薄い材質で形成されたパーテーション、もしくは網のように、複数の開口部で形成されたパーテーション、を有し、前記スピーカが振動する際に、前記イヤーパッド袋が前記スピーカに接触しない制限を持つことを特徴とする。この場合の前記スピーカとパーテーションの間の空間にはスピーカの音質を歪ませない空間容量を確保しなければならない。
【手続補正６】
【補正対象書類名】明細書
【補正対象項目名】００２８
【補正方法】変更
【補正の内容】
【００２８】
また、前記イヤーパッド袋に断熱素材を用いない場合、頭部に接する液体を、頭部で心地よさを感じる温度に設定する温度調整部を有する。前記イヤーパッド袋内の前記温度調整部への電線を有し、前記イヤーパッド袋の液体を電気的な手段で保温または冷却することにより一定温度に保つことを特徴とする。
【手続補正７】
【補正対象書類名】明細書
【補正対象項目名】００３３
【補正方法】変更
【補正の内容】
【００３３】
この残響が大きい程、高音は頭の前面、低音は頭の中心部で聞こえ、音像に立体感がでる。これは水中で音響を聞く際に生じる特有の現象である。
【手続補正８】
【補正対象書類名】明細書
【補正対象項目名】００３５
【補正方法】変更
【補正の内容】
【００３５】
その他の付随的な効果として、温度調整部１１により、頭部を暖めることにより温熱療法の効果により、血流を良くすることもできる。逆に熱があるときには頭部を冷却することもできる。
【手続補正９】
【補正対象書類名】明細書
【補正対象項目名】００３７
【補正方法】変更
【補正の内容】
【００３７】
この実施形態でのスピーカ１はハウジング２に固着され、イヤーパッド袋３はスピーカ１の周囲のハウジング２に接続され、スピーカ１の音響振動が空気からイヤーパッド袋３内の液体に伝わる構造を有している。空気を媒介し、鼓膜へ伝達させる音響は原音より音圧が低下するが残響は含まない。残響は鼓膜経由の音響伝達と、イヤーパッド袋３が頭部に接することにより生じる骨伝導による音響伝達との合成音を内耳で受け取ることにより発生する。
【手続補正１０】
【補正対象書類名】明細書
【補正対象項目名】００３８
【補正方法】変更
【補正の内容】
【００３８】
残響効果が一番顕著に出るのは  イヤーパッド袋３の液体の容量であり、容量が大きいほど残響が大きくなる。この場合、音響はイヤーパッド袋３を設けるため音量低下を生じる。低音から中音域までは液体の容量にほぼ比例した音量低下が生じるが、高音域では中音域以上に液体の容量からの音量低下の割合が拡大し、高周波領域となると液体容量と音量低下の関係は指数的に低下し、高周波を通しにくくなる。また、同一の液体量で同一音量の場合、スピーカ１の口径が大きい程、残響は大きくなる。
【手続補正１１】
【補正対象書類名】明細書
【補正対象項目名】００３９
【補正方法】変更
【補正の内容】
【００３９】
イヤーパッド袋３の材質は収縮性のない合成樹脂材やアルミ材やシリコン材で成型される。イヤーパッド袋３は密閉構造であり、中に封入される液体は比重が軽く、粘性が低く、使用にあたり危険がないものが望ましく、水やアルコールやヘキサンを使用する。
【手続補正１２】
【補正対象書類名】明細書
【補正対象項目名】００４１
【補正方法】変更
【補正の内容】
【００４１】
イヤーパッド袋３の液体が頭部に接する面積が広い程、頭部に接する面積が広い程、残響の効果を得ることができる。その為、頭部に装着した状態で頭部に接する面積が広くなるよう適切な袋の広がりが得られるように袋の容量と液量を定めなければならない。液体の容量の一例を示すと、図６のイヤホンの形状では０．５ｃｃ〜５cc、図３もしくは図４のソフトイヤーパッドを有する形状では５ｃｃから１００ｃｃ、図２の形状では５０cc〜２００cc、図５の枕型の形状では２００cc〜１０００cc、の範囲が望ましい。
イヤーパッド袋３の構造としては栓を設け、商品としての物流負荷を軽減させるため、内部の液体を抜いて折りたたんだ状態で本発明品を販売することもできる。その場合には、使用者自身が好みの液質と容量の液体を栓を開けて封入することができる。
【手続補正１３】
【補正対象書類名】明細書
【補正対象項目名】００４２
【補正方法】変更
【補正の内容】
【００４２】
さらに、ここでは耳穴に隙間なく密着させるが、加える圧力が大きい程、骨伝導で伝えられる比率が大きくなり、残響も大きく感じる。
【手続補正１４】
【補正対象書類名】明細書
【補正対象項目名】００４３
【補正方法】変更
【補正の内容】
【００４３】
イヤーパッド袋３は２重構造であってもよく、耳に接触する外側の袋と、液体を入れる内部の袋とに分けることにより強度を保ち、使用感を良くし、袋の長期間の劣化を低減させることができる。一例としては内部には金属皮膜の袋を使用して劣化を防ぐ。外側の袋には断熱性のある材質を用いれば、液体が冷たい時に耳に感じる冷たさを軽減できる。この場合、セラミックの薄膜を袋の耳に当たる側に塗布するのも有効である。但し、断熱性のある材質は極力薄いものを用い、音響を劣化させないために厚さ１mm以内する必要がある。
【手続補正１５】
【補正対象書類名】明細書
【補正対象項目名】００４５
【補正方法】変更
【補正の内容】
【００４５】
スピーカ１には各種形状があり、音の発生する振動面の強度が強く、直接イヤーパッド袋を振動させても音質への変化なく、イヤーパッド袋３の圧力が振動面に長期間にかかっても振動面が劣化しないものであれば、イヤーパッド袋３とスピーカ１を直接接することができる。
【手続補正１６】
【補正対象書類名】明細書
【補正対象項目名】００４６
【補正方法】変更
【補正の内容】
【００４６】
しかし、一般的にはスピーカ１での振動部は空気のみと接し、スピーカ１とイヤーパッド袋３との間に音響特性を妨げない空間容量を保たなければならない。
【手続補正１７】
【補正対象書類名】明細書
【補正対象項目名】００４７
【補正方法】変更
【補正の内容】
【００４７】
図１で耳８に装着する際に、イヤーパット袋３は液体の圧力で円形に膨らもうとし、さらには、耳へ固定する際の圧力により、スピーカ１での音の振動面に接しようとする。それの接触を回避し、さらに音響が劣化ない空間を保つため、スピーカ１側にイヤーパッド袋３を支えるパーテーション４を設ける。
【手続補正１８】
【補正対象書類名】明細書
【補正対象項目名】００４８
【補正方法】変更
【補正の内容】
【００４８】
パーテーション４は、音圧が最大になっても、その振動を妨いではならず、音圧が低くなっても音響を効率良くイヤーパッド袋３に伝達しなければならない。この材質は音の振動を適切にイヤーパッド袋３に伝える柔軟さを持ち、イヤーパッド袋３からかかる圧力を支える強度がなければならない。
【手続補正１９】
【補正対象書類名】明細書
【補正対象項目名】００５５
【補正方法】変更
【補正の内容】
【００５５】
また、イヤーパッド袋の液体の代わりに、比重の軽いスポンジ状の弾性材を入れることで空気のみを媒体とする一般のヘッドホンと同様の構造となり、一般のヘッドホンと同じ音響特性を得ることもできる。また、イヤーパット袋が損傷した場合に、新たな交換用イヤーパッドに交換することもできる。
【手続補正２０】
【補正対象書類名】明細書
【補正対象項目名】００５６
【補正方法】変更
【補正の内容】
【００５６】
そのために、図１および図２に示すよう、イヤーパッド袋３に取付けたパーテーション４の外周部を厚めにした結合手段である凸部６と、ハウジング２のイヤーパッド袋３側に相対する側の外周部への結合手段である凹部５とを有する。図２（Ｂ）と図３（Ｂ）は取外した場合の外観図である。
【手続補正２１】
【補正対象書類名】明細書
【補正対象項目名】００５７
【補正方法】変更
【補正の内容】
【００５７】
交換用イヤーパッド袋３の第１の交換の方法は、交換用イヤーパッドをハウジングに挿入する形態がある。圧結合部に弾性をもつ合成樹脂を使用し、凹凸面を接触させ、相互の接触摩擦を大きくして固定させ、着脱もできる構造である。また、凸部６もしくは凹部５の接触摩擦を大きくする箇所に、小型のバネ材、もしくはクッション材を新たに設けることもある。
【手続補正２２】
【補正対象書類名】明細書
【補正対象項目名】００６０
【補正方法】変更
【補正の内容】
【００６０】
交換用イヤーパッド袋３の第４の交換の方法は、凹凸の小さな突起を持つマジックテープ（登録商標）による固定する形態がある。これは交換用イヤーパッドと、ハウジングに相対する、それぞれの上部、もしくは上部と下部、もしくは外周部全域にマジックテープ（登録商標）を接着するものである。
【手続補正２３】
【補正対象書類名】明細書
【補正対象項目名】００６３
【補正方法】変更
【補正の内容】
【００６３】
ソフトイヤーパッド７への第１の充填物は液体であり、残響を与えるものである。その残響の大きさは、イヤーパッド袋３の液体量とソフトイヤーパッド７の液体量を合わせたより若干少ない残響量を得ることができる。このソフトイヤーパッド７の耳にあたる部分の表面に、ソフトで断熱性を持つ素材である布、皮、人工皮、シリコン膜などを接着することで肌触りを良くして使用感を高めることができる。
【手続補正２４】
【補正対象書類名】明細書
【補正対象項目名】００６６
【補正方法】変更
【補正の内容】
【００６６】
また、一般のヘッドホンでパーテーションを保有し、耳に接する内側が空洞である形状のものには、本発明のイヤーパッド袋３をオプションとして付加し、残響付ヘッドホンの効果を得ることもできる。これは、イヤーパッド袋の液体量を該当するヘッドホンの構造に合わせる必要があるが、液体封入口から入れる液体の分量で調整する。また、スピーカ１とイヤーパッド袋３の間の空間容量が少ない場合には、音響歪みが生じないようにイヤーパッド袋のスピーカ側に新たに空間を確保するパーテーションを設けなければならない。
【手続補正２５】
【補正対象書類名】明細書
【補正対象項目名】００６９
【補正方法】変更
【補正の内容】
【００６９】
図２（Ａ）および図３（Ａ）に示すように、左右の耳を覆う前記ハウジング２の２ケを結合し、頭部の後ろに位置する圧力調整スライド１０を有する。一般のヘッドホンにおける固定具は耳位置を調整する目的であるが、圧力調整スライドは、イヤーパッド袋にかかる圧力を調整するものである。圧力調整スライドは２本の合成樹脂等の材料で構成され、２本の重複部を設けることによりスライドの長さを可変できるものとし、短くすれば耳へに圧着する圧力を強くでき残響量を大きくでき、長くすれば圧力が小さくなり残響量を小さくできる構造である。
【手続補正２６】
【補正対象書類名】明細書
【補正対象項目名】００７４
【補正方法】変更
【補正の内容】
【００７４】
ハウジングカバー２１はハウジング２を覆う薄い材質のカバーであり、取り外して交換や洗浄ができる構造を持つ。これは枕として長期に使用する際に衛生的に保つものである。また、枕ベース全体を覆い、ハウジング位置調整部のみ露出させる交換できる薄手の材質のカバーを付加してもよい。
【手続補正２７】
【補正対象書類名】明細書
【補正対象項目名】００７６
【補正方法】変更
【補正の内容】
【００７６】
図２および図５には簡易的にイヤーパッド袋３内の温度調整部１１を明記してある。これは電気的な手段でイヤーパッド袋３の液体を一定温度に保つ機能を持ち、外部からの温度調整用電源線１７により電力を供給する。これにより、液体を体温の３６℃から上下１０℃以内に設定することにより、心地良さを増すことができる。特に、冬季に液体が摂氏２０度以下となる際には、健康を害することがあり、これを避けなければならない。
【手続補正２８】
【補正対象書類名】明細書
【補正対象項目名】００７７
【補正方法】変更
【補正の内容】
【００７７】
冬季や春秋の涼しい季節での保温は温度調整部１１に内蔵するサーモスタット付きのヒーターに電気を流すことによりおこなう。これは熱帯魚用のヒーターに順ずる構造である。ヒーターの発熱部はイヤーパッド袋３の特定の箇所が高温になり、劣化するとこのないよう、袋の表面から高温部を離し、その間の液体の熱対流による循環を妨げない網材で覆わなければならない。また、温度調整部１１へＡＣ１００Ｖを供給する温度調整用電源線１７には挿抜できる電源コネクタオス１９を設ける。温度調整分配線２０に接続される電源コネクタメス１８から着脱できる構造により、保温後はＡＣ１００Ｖの電線を取り外すこともできる。右側もしくは左側に設置された電源コネクタメス１８から分配される温度調整分配線２０は左右のハウジング２に分配され温度調整部１１に接続される。温度調整部１１はサーモスタットを内臓し、特定の温度に達すると電力供給を停止する。ヘッドホンタイプでの使用法としては、液体を保温した後は電源コネクタオス１９を外して操作性を良くすることもできる。
【手続補正２９】
【補正対象書類名】明細書
【補正対象項目名】００７８
【補正方法】変更
【補正の内容】
【００７８】
夏の場合、逆に冷やすことで快適な温度を保つことができる。その冷却モジュールとしてはペルチェ素子があり放熱板をヘッドホンの外側に設ける。その際には、直流電源を使用する。
【手続補正３０】
【補正対象書類名】明細書
【補正対象項目名】００８６
【補正方法】変更
【補正の内容】
【００８６】
1  スピーカ、２  ハウジング、３  イヤーパッド袋、４  パーテーション、５  凹部、６  凸部、７  ソフトイヤーパッド、８  耳  、９  上部固定部、１０  圧力調整スライド、１１  温度調整部、１２  パッド袋結合固定具、１３  枕ベース、１４  ハウジング位置調整部、１５  位置調整固定具、１６  液体封入口、１７  温度調整用電源線、１８  電源コネクタオス、１９  電源コネクタメス、２０  温度調整分配線、２１ハウジングカバー
【手続補正３１】
【補正対象書類名】図面
【補正対象項目名】図２
【補正方法】変更
【補正の内容】
【図２】
2006237783.tif 000011
【手続補正３２】
【補正対象書類名】図面
【補正対象項目名】図５
【補正方法】変更
【補正の内容】
【図５】
2006237783.tif 000012
【手続補正３３】
【補正対象書類名】図面
【補正対象項目名】図７
【補正方法】変更
【補正の内容】
【図７】
2006237783.tif 000013